(57)【要約】      （修正有）【課題】ゲーム者自ら又は対戦相手がゲーム方式を考えて、頭脳力を発揮出来るタイルカーペットのゲームフロアーを提供する。【解決手段】ゲームのスコアをカウントするゲームフロアーであって、面テープとパイル状繊維層とからなり、前記面テープは四角端近傍全周にわたり配置された止め金具Ｇに固着され、止め金具Ｇはパイル状繊維層に固定されている。ゲーム者、又は対戦者がタイルカーペットの彩色別を交換しながら配置を考え、そして彩色別の得点数も考える事で頭脳力と集中力を高め、運動力も養える。【選択図】図１
0003222500.tif 000002
【実用新案登録請求の範囲】
【請求項１】
四面の一方からボールを投げて、ボールの停止位置に対応する彩色別の得点を決めて点数を競い、ゲームのスタート前に彩色別の交換を考え配置してゲームを行う事が出来る様に、室内の床面にタイルカーペットを彩色別に敷き込んだ事を特徴とするボールゲームのフロアー。
【請求項２】
前記のタイルカーペットの敷き込みをした配置枠の外側を囲み、タイルカーペットの移動を防ぐ、止め金具を設置した事を特徴とする請求項１記載のボールゲームのフロアー。
【請求項３】
前記の止め金具の下面に面テープ雄部を装着し、タイルカーペット上面のパイル状繊維と止め金具の面テープを着脱可能にして、タイルカーペットの移動も阻止出来る止め金具を有する事を特徴とする請求項１記載のボールゲームのフロアー。
【請求項４】
前記のボールゲームフロアーは、例えばタイルカーペット５００ｍｍ角を使用し、縦の枚数と横の枚数を任意に設定して敷き込む事が出る為、床面の面積に応じて何処でも、ゲームが行える事を特徴とする請求項１記載のボールゲームのフロアー。
【考案の詳細な説明】
【技術分野】
【０００１】本考案は、室内の床面にタイルカーペットを敷き込み、ボールを投じて、その停止位置での得点を決めるボールゲームに関するものである。
【背景技術】
【０００２】室内におけるボールゲームには、ボーリングやミニゴルフ、ゲートボ−ル等があり、ボールでピンを倒したり穴に入れたり、枠内にボールを通して得点を決めるゲームはあった。
【先行技術文献】
【特許文献】
【０００３】
【特許文献１】特許公開  平８−１８２８５６
【考案の概要】
【考案が解決しようとする課題】
【０００４】従来の室内ボールゲームは、例えば文献特許公開平８―１８２８５６のゴルフゲーム機にあるように、ゲーム機がセットされていて、ゲームを決められた方式で行うものであり、与えられたゲーム方式のままゲームを行うもので、又幼児から高齢者まで一緒にゲームを楽しめるボールゲームしかなかった。
【課題を解決するための手段】
【０００５】従来の室内ボールゲームは、ゲームが与えられた方式のまま行うもので又幼児から高齢者まで一緒にゲームを楽しめゲームがなかったが、本考案は四面の一方からボールを投げて、ボールの停止位置に対応する彩色別の得点を競い、ゲームのスタート前に。彩色別の交換を考え配置してゲームを行う事が出来る様に、室内の床面にタイルカーペットを色彩別に敷き込んだ事を特徴とするボールゲームのフロアーである。【０００６】又、前記タイルカーペットの敷き込みをした配置枠の外枠側を囲み、タイルカーペットの移動を防ぐ、止め金具を設置した事を特徴とするボールゲームのフロアーである。【０００７】前記止め金具の下面に面テープ雄部を装着し、タイルカーペット上面のパイル状繊維と止め金具の面テープを着脱可能にして、タイルカーペットの移動も阻止出来る止め金具を有する事を特徴とするボールゲームのフロアーである。【０００８】そして、前記ボールゲームのフロアーは、例えばタイルカーペット５００角を使用し、縦の枚数と横の枚数を任意に設定して敷き込む事が出来る為、床面の面積に応じて何処でもゲームが行える事を特徴とするボールゲームのフロアーである。
【考案の効果】
【０００９】本考案は頭脳力と集中力そして、運動力も高める事が出来るタイルカーペットボールゲームのフロアーを提供する。そして、１人であれば自らがタイルカーペットの配置を決め、対戦者がいる時は相手が配置を交換しながらゲームを行える楽しさがある。又、幼児から高齢者までも一緒にゲームを楽しめ、さらに床面積の広さに応じて本考案のボールゲームのフロアーの面積も変えられる効果がある。【００１０】本考案で使用するタイルカーペットの例として５００ｍｍ角であれば、高さは図１、図２で使用する時の枚数は６０枚で、１枚の厚さは６ｍｍとして合計３６０ｍｍであり、従って置く場所のスペースが少なくて済む利点がある。【００１１】又、高齢者等の力の弱い人達で行う場合であれば、レンタル業者に頼む事も出来る。レンタル業者に持って来て貰い、敷き込みや撤去してくれれば置いておくスペースが無くても楽しめる。【００１２】ゲームを実施する床面は多種多様であり、例えば木製のフローリングやビニールタイル、コンクリートであったりする。本考案のボールゲームのフロアーは、床面を汚さないようにする為に、両面テープ等を使わずに、タイルカーペットを置くだけにする。そして、枠外側に止め金具を設置して、タイルカーペットが移動しないようにした為に、どんな場所でも設置が可能である。
【図面の簡単な説明】
【００１３】
【図１】本考案のタイルカーペットの敷き込み一実施例平面図である。
【図２】本考案のタイルカーペット敷き込み例の他の平面図である。
【図３】本考案の枠外側を囲む、止め金具とカーペット関係の断面図。
【図４】本考案のスコアシートの得点表である。
【考案を実施するための形態】
【００１４】本考案は、タイルカーペットが彩色別になっているところに着目し、ゲ−ム者自ら、又は対戦者がタイルカーペットの彩色別の配置を交換しながら考え、さらに得点の大小も決めてゲームを進める事により、頭脳力と集中力を高めて、運動力も養う効果が得られるボールゲームのフロアーを提供する。
【００１５】本考案に使用するタイルカーペットは、通常使用されている構造と同じく上面がパイル状で構成されている化学繊維で、下面は樹脂性の材料で固められている。一般的にオフィスに使用しているタイルカーペットは、床面に糊で動かないよう設置している。本考案のボールゲームでは使用するボールが軽い為に、タイルカーペットは糊を使用せず床面に置くだけで、簡単にゲームを行う事が出来る。
【００１６】又ゲームを行う床面には、例えば木製のフローリングやビニールタイル、コンクリート等の多種多様な床面の材質があるためタイルカーペットを置くだけでは、多少動く事がある。本考案は、多少の動きを阻止する為に外枠側に囲んだ位置に止め具を設置する。
【００１７】枠外側の止め金具は、図１と図２に示したＧ部であり又、図３は止め金具とタイルカーペットの関係した拡大断面図である。止め金具の材質は塩ビ製でも金属製でも良い。そして図３の止め金具Ｇの下面には面テープ雄状Ｉが装着してある。又タイルカーペットの断面Ｋの上面にはパイル状Ｊの構造になっている事により、面テープＩとパイル状Ｊが着脱可能に作用する。しかも多少の動きを阻止する役目をしている。尚、前記Ｋはタイルカーペット下部であり、樹脂で固められた材質である。
【００１８】本考案で使用するボールは、一般に使用されているテニスボール（球体の表面が植毛状）を使用するのが好適である。他のゴルフボールや野球のボール等では、投げたボールのスピードが止まらない欠点があり、本考案には向いていない。その理由は、タイルカーペット表面のパイル状と、テニスボール表面の植毛状が摩擦力によってボールが止まり安くなる。又並べたカーペットの枠内からボールが枠外部に出ないよう抑制されて、目的の停止位置に止まり安い効果がある。
【００１９】本考案のタイルカーペットの大きさは、５００ｍｍ×５００ｍｍ角が一般にオフィス等で使用されている。このタイルカーペットを図１、  図２のように縦列１０枚、横列６枚敷き込みを配置すると縦５メートル×横３メートルとなる。そしてスタート地点Ｆ部からボールを投げてゲームを進行する。但し、この寸法に限定するものではなく、例えば縦２０枚（１０ｍ）横１０枚（５ｍ）に敷き込みをしても良く、現場の床面積の大きさで決める。又は年齢や力量によって決める事が出来る利点がある。
【００２０】又本考案では、５００ｍｍ角のタイルカーペットでなくとも、３００ｍｍ角や２５０ｍｍ角を使用しても良い。もし寸法を小さいものにすれば、敷き込み面積が少なく、狭い場所でも出来るし、又力量の小さな幼児や高齢者の人達にもゲームが楽しめる。
【００２１】本考案でゲームを行うには、１人や多人数でゲームをしても良いが、グループを組んで楽しむ方法もある。又１人で行う時は自分で彩色別の配置を決め、交換しながら楽しむ。さらに、対戦相手がいる方が頭脳力をより一層発揮して、相手の得点を少なくするよう色彩別を交換しながら配置して、頭脳力で考える面白さがある。
【００２２】更に図３のスコアシートａの表に示したように、タイルカーペットの色彩別に、ゲーム者または対戦相手が得点を決める事からゲームを始める。例えば、図１、図２では赤色のカーペットＡを５点と設定し、青色のカーペットＢを４点、Ｃの緑を３点、Ｄのオレンジを２点、又、Ｅのグレーを１点とした本考案の一例で示したように、個人や対戦相手が点数を予め決めておく。又、得点の高いＡの赤色カーペットの配置を、難度の高い隅の方やスタート地点から遠いところに配置すれば、高得点が取れ難い。以下Ｂ，Ｃ，Ｄ，Ｅとそれぞれの彩色別に得点を決めておき、そして得点や配置を決るのは２人以上の時は、次の順番に当たる人や、次のグループの人が得点や配置の交換を考える。
【００２３】次に、例えば枠外にボールが出た時はマイナス１点に決めておけば、なお一層に高得点が取りにくい事となり、簡単には高得点が取れないよう工夫をする。従って本考案は、ゲームを自ら又は対戦者が頭脳力を発揮してタイルカーペットの配置や交換を考え、集中力も高め、運動力も養えるゲームを提供するフロアーである。又、図１、図２で示すように、スタート地点Ｆから近くの位置にグレー色Ｅを配置すると、少なくとも１点は獲得出来る。従って幼児から高齢者でも得点が取れるので、一緒にゲームを楽しめる事が出来るボールゲームのフロアーである。
【００２４】以下、本考案をグループ別に競う一実施例の説明をすると、図４のｂは、グループをＡとＢに分けて、１グループごとに３人とし、ＡグループはＡ１さん、Ａ２さん、Ａ３さんで組む。又、ＢグループはＢ１さん、Ｂ２さん、Ｂ３さんで組み合計６名で競う時、図４で説明すると例えば１ゲーム１人が３回投げて、合計１５回投げたとすると、結果Ａ１さんは１ゲーム目が３点で、  ５ゲームを行ってトータル１３点になりました。そしてＡグループ３人の総合計は５５点です。又Ｂグループの総合計が６９点となり、Ｂグループの勝利です。そして今回の個人一位はＢ１さんの２９点となりました。
【００２５】本考案の頭脳力を発揮する面白さは、例えばＡグループに対してＢグループがタイルカーペットの色彩別の配置を考え、次にはＢグループに対してＡグループが得点を取られないように色彩別の配置を交換し決める。このようにお互いに頭脳力の戦いと共に、集中力も運動力も競うボールゲームのフロア―を提供する。
【００２６】又、本考案の面白さをより一層高める方式は、前に行ったゲーム者の止まったボールを当てて、相手のボールを枠外に出して、相手を減点させてしまう方法もある。例えばカーリング競技で行っている方式である。
【００２７】図１と図２は、本考案のタイルカーペットを彩色別に床面に、敷き込んだ実施例である。そして色彩別に得点を決めて、その配置の交換も考える事により頭脳力を発揮し、Ｆのスタート地点からボールを投げて得点を競う、ボールゲームのフロアーである。又、図１、２におけるＨはボールが止まった位置の例を示す。
【００２８】図３は、タイルカーペットを敷き込んだ枠外側に囲む止め金具とタイルカーペットの関係する断面図であり、そして止め金具Ｇの下面には面テープ雄状Ｉを装着してある。従って金具の下面Ｉとタイルカーペットの上面のパイル状Ｊが着脱可能であり、タイルカーペットの動きの阻止もする役目となっている。
【００２９】図４はスコアシートの得点表の一実施例であり、図中ａは彩色別の得点を決めた点数を記入する表であり、枠外に出た時の減点も記入する。又、図中ｂは各グループに分けた時の得点表であり、Ａを３人、Ｂを３人で行った得点例を示す。ゲームの回数や合計数も記入する得点表である。尚Ｆはゲームのスタート地点を示す。
【符号の説明】
【００３０】Ａは赤色のカーペット
Ｂは青色のカーペット
Ｃは緑色のカーペット
Ｄはオレンジ色のカーペット
Ｅはグルー色のカーペット
Ｆはスタート地点
Ｇは止め金具
Ｈはボールの止まった位置
Ｉは面テープ
Ｊはタイルカーペットのパイル状繊維
Ｋはタイルカーペット断面図
ａは色彩別の得点表
ｂはスコアシートの得点表
【図１】
0003222500.tif 000003
【図２】
0003222500.tif 000004
【図３】
0003222500.tif 000005
【図４】
0003222500.tif 000006
【手続補正書】
【提出日】令和1年5月13日(2019.5.13)
【手続補正１】
【補正対象書類名】実用新案登録請求の範囲
【補正対象項目名】全文
【補正方法】変更
【補正の内容】
【実用新案登録請求の範囲】
【請求項１】
ゲームのスコアをカウントするゲームフロアーであって、  面テープとパイル状繊維層とからなり、前記面テープは四角端近傍全周にわたり配置された止め金具に固着され、前記止め金具は前記パイル状繊維層に固定されていることを特徴とするタイルカーペットのゲームフロアー。